【手続補正書】
【提出日】平成27年8月13日(2015.8.13)
【手続補正１】
【補正対象書類名】特許請求の範囲
【補正対象項目名】全文
【補正方法】変更
【補正の内容】
【特許請求の範囲】
【請求項１】
第１のユーザに関連付けられている第１のユーザ・モバイル・デバイスから、第１のメッセージを受信する工程であって、前記第１のメッセージは、第２のユーザに関連付けられている第２のユーザ・モバイル・デバイスによってモバイル・ネットワークを介して受信され、前記第１のメッセージは、
前記第１のユーザ・モバイル・デバイスの前記第１のユーザに対応する第１のユーザ識別子であって、ソーシャル・ネットワーキング・サイトにおける前記第１のユーザの第１のユーザ・アカウントに対応する第１のユーザ識別子と、
公開暗号鍵であって、前記第１のユーザ・モバイル・デバイスの直接的な無線通信内の前記第２のユーザ・モバイル・デバイスが前記公開暗号鍵を用いて前記ソーシャル・ネットワーキング・サイトから前記第１のユーザ・アカウントに関連付けられている関連情報にアクセスすることを可能とする、公開暗号鍵と、を含む、前記工程と、
前記第２のユーザ・モバイル・デバイスが、前記公開暗号鍵を用いて、前記ソーシャル・ネットワーキング・サイトの前記第１のユーザ・アカウントに関連付けられている関連情報にアクセスする工程と、
前記第２のユーザ・モバイル・デバイスが、前記ソーシャル・ネットワーキング・サイトから前記第１のユーザ・アカウントに関連付けられている前記関連情報を受信する工程と、
前記第１のユーザ・モバイル・デバイスに対し、前記第２のユーザ・モバイル・デバイスに対応する第２のユーザ識別子と、前記ソーシャル・ネットワーキング・サイトにおける前記第２のユーザの第２のユーザ・アカウントとを含む、第２のメッセージを送信する工程と、
前記第１のユーザ・モバイル・デバイスと前記第２のユーザ・モバイル・デバイスとの間のモバイル・アドホック・ネットワークを確立する工程であって、前記モバイル・アドホック・ネットワークは、前記モバイル・ネットワークが利用可能でないときにフォールバックを提供するように構成されている、前記工程と、
前記モバイル・ネットワークが利用可能でないとき、前記第２のユーザ・モバイル・デバイスが、前記モバイル・アドホック・ネットワークを介して、前記第１のユーザ・モバイル・デバイスから１つまたは複数の第３のメッセージを受信する工程と、を備える方法。
【請求項２】
前記第２のユーザ識別子は、前記ソーシャル・ネットワーキング・サイト内において、前記第１のユーザが前記第２のユーザを友達とすることを可能とし、前記方法は、
前記第２のユーザ・モバイル・デバイスが、前記第２のユーザが前記第１のユーザによって友達とされたことの通知を受信する工程であって、前記通知は前記第１のユーザ・モバイル・デバイスから受信される、前記工程をさらに備える、請求項１に記載の方法。
【請求項３】
前記第１のユーザと、前記第２のユーザ識別子に対応する前記第２のユーザとは、ソーシャル・ネットワーキング・システムにおける関連付けを有する、請求項１に記載の方法。
【請求項４】
前記第２のメッセージは、前記第２のユーザ識別子に対応する前記第２のユーザのアカウントを発見できる場合のみ、送信される、請求項１に記載の方法。
【請求項５】
前記アドホック・ネットワークは、日付および時間によって限定される、請求項１に記載の方法。
【請求項６】
前記ソーシャル・ネットワーキング・サイト内の前記第２のユーザを友達とすることに応じて、前記第１のユーザと前記第２のユーザ識別子に対応する前記第２のユーザとを含むグループを生成する工程と、
前記第１のユーザ・モバイル・デバイスから、前記グループが生成されたことを示す第４のメッセージを受信する工程であって、前記第４のメッセージは前記第１のユーザ識別子を含む、前記工程と、をさらに備える、請求項２に記載の方法。
【請求項７】
第１のユーザ・モバイル・デバイスと第２のユーザ・モバイル・デバイスとの間のモバイル・アドホック・ネットワークを確立するためのシステムであって、
前記第２のユーザ・モバイル・デバイスの１つまたは複数のプロセッサと、
前記プロセッサに結合されており前記プロセッサによって実行可能な命令を含むメモリと、を備え、前記第２のユーザ・モバイル・デバイスの前記プロセッサは、前記命令を実行するとき、
第１のユーザに関連付けられている前記第１のユーザ・モバイル・デバイスから、第１のメッセージを受信する工程であって、前記第１のメッセージは、モバイル・ネットワークを介して受信され、前記第１のメッセージは、
前記第１のユーザ・モバイル・デバイスの前記第１のユーザに対応する第１のユーザ識別子であって、ソーシャル・ネットワーキング・サイトにおける前記第１のユーザの第１のユーザ・アカウントに対応する第１のユーザ識別子と、
公開暗号鍵であって、前記第１のユーザ・モバイル・デバイスの直接的な無線通信内の前記第２のユーザ・モバイル・デバイスが前記公開暗号鍵を用いて前記ソーシャル・ネットワーキング・サイトから前記第１のユーザ・アカウントに関連付けられている関連情報にアクセスすることを可能とする、公開暗号鍵と、を含む、前記工程と、
前記公開暗号鍵を用いて、前記ソーシャル・ネットワーキング・サイトの前記第１のユーザ・アカウントに関連付けられている関連情報にアクセスする工程と、
前記ソーシャル・ネットワーキング・サイトから前記第１のユーザ・アカウントに関連付けられている前記関連情報を受信する工程と、
前記第１のユーザ・モバイル・デバイスに対し、前記第２のユーザ・モバイル・デバイスに対応する第２のユーザ識別子と、前記ソーシャル・ネットワーキング・サイトにおける第２のユーザの第２のユーザ・アカウントとを含む、第２のメッセージを送信する工程と、
前記第１のユーザ・モバイル・デバイスと前記第２のユーザ・モバイル・デバイスとの間のモバイル・アドホック・ネットワークを確立する工程であって、前記モバイル・アドホック・ネットワークは、前記モバイル・ネットワークが利用可能でないときにフォール
バックを提供するように構成されている、前記工程と、
前記モバイル・ネットワークが利用可能でないとき、前記第２のユーザ・モバイル・デバイスから、前記モバイル・アドホック・ネットワークを介して、前記第１のユーザ・モバイル・デバイスから１つまたは複数の第３のメッセージを受信する工程と、を行うように構成されているシステム。
【請求項８】
前記第２のユーザ識別子は、前記ソーシャル・ネットワーキング・サイト内において、前記第１のユーザが前記第２のユーザを友達とすることを可能とし、
前記プロセッサは、前記命令を実行するとき、前記第２のユーザが、前記第２のユーザが前記第１のユーザによって友達とされたことの通知を受信する工程であって、前記通知は前記第１のユーザ・モバイル・デバイスから受信される、前記工程を行うようにさらに構成されている、請求項７に記載のシステム。
【請求項９】
前記第１のユーザと、受信した前記第２のユーザ識別子に対応する前記第２のユーザとは、ソーシャル・ネットワーキング・システムにおける関連付けを有する、請求項７に記載のシステム。
【請求項１０】
前記第２のメッセージは、前記第２のユーザ識別子に対応する前記第２のユーザのアカウントを発見できる場合のみ、送信される、請求項７に記載のシステム。
【請求項１１】
前記アドホック・ネットワークは、日付および時間によって限定される、請求項７に記載のシステム。
【請求項１２】
前記プロセッサは、前記命令を実行するとき、
前記ソーシャル・ネットワーキング・サイト内の前記第２のユーザを友達とすることに応じて、前記第１のユーザと前記第２のユーザ識別子に対応する前記第２のユーザとを含むグループを生成する工程と、
前記第１のユーザ・モバイル・デバイスから、前記グループが生成されたことを示す第４のメッセージを受信する工程であって、前記第４のメッセージは前記第１のユーザ識別子を含む、前記工程と、を行うようにさらに構成されている、請求項８に記載のシステム。
【請求項１３】
ソフトウェアを具現する１つまたは複数の非一時的なコンピュータ可読記憶媒体であって、該ソフトウェアは実行されるとき、
第１のユーザに関連付けられている第１のユーザ・モバイル・デバイスから、第１のメッセージを受信する工程であって、前記第１のメッセージは、第２のユーザに関連付けられている第２のユーザ・モバイル・デバイスによってモバイル・ネットワークを介して受信され、前記第１のメッセージは、
前記第１のユーザ・モバイル・デバイスの前記第１のユーザに対応する第１のユーザ識別子であって、ソーシャル・ネットワーキング・サイトにおける前記第１のユーザの第１のユーザ・アカウントに対応する第１のユーザ識別子と、
公開暗号鍵であって、前記第１のユーザ・モバイル・デバイスの直接的な無線通信内の前記第２のユーザ・モバイル・デバイスが前記公開暗号鍵を用いて前記ソーシャル・ネットワーキング・サイトから前記第１のユーザ・アカウントに関連付けられている関連情報にアクセスすることを可能とする、公開暗号鍵と、を含む、前記工程と、
前記第２のユーザ・モバイル・デバイスが、前記公開暗号鍵を用いて、前記ソーシャル・ネットワーキング・サイトの前記第１のユーザ・アカウントに関連付けられている関連情報にアクセスする工程と、
前記第２のユーザ・モバイル・デバイスが、前記ソーシャル・ネットワーキング・サイトから前記第１のユーザ・アカウントに関連付けられている前記関連情報を受信する工程
と、
前記第１のユーザ・モバイル・デバイスに対し、前記第１のユーザ・モバイル・デバイスの直接的な無線接続内の前記第２のユーザ・モバイル・デバイスに対応する第２のユーザ識別子と、前記ソーシャル・ネットワーキング・サイトにおける前記第２のユーザのそれぞれの第２のユーザ・アカウントとを含む、第２のメッセージを送信する工程と、
前記第１のユーザ・モバイル・デバイスと前記第２のユーザ・モバイル・デバイスとの間のモバイル・アドホック・ネットワークを確立する工程であって、前記モバイル・アドホック・ネットワークは、前記モバイル・ネットワークが利用可能でないときにフォールバックを提供するように構成されている、前記工程と、
前記モバイル・ネットワークが利用可能でないとき、前記第２のユーザ・モバイル・デバイスが、前記モバイル・アドホック・ネットワークを介して、前記第１のユーザ・モバイル・デバイスから１つまたは複数の第３のメッセージを受信する工程と、を行うように構成されている媒体。
【請求項１４】
前記第２のユーザ識別子は、前記ソーシャル・ネットワーキング・サイト内において、前記第１のユーザが前記第２のユーザを友達とすることを可能とし、
該ソフトウェアは実行されるとき、前記第２のユーザ・モバイル・デバイスが、前記第２のユーザが前記第１のユーザによって友達とされたことの通知を受信する工程であって、前記通知は前記第１のユーザ・モバイル・デバイスから受信される、前記工程を行うようにさらに構成されている、請求項１３に記載の媒体。
【請求項１５】
前記第１のユーザと、前記第２のユーザ識別子に対応する前記第２のユーザとは、ソーシャル・ネットワーキング・システムにおける関連付けを有する、請求項１３に記載の媒体。
【請求項１６】
前記第２のメッセージは、前記第２のユーザ識別子に対応する前記第２のユーザのアカウントを発見できる場合のみ、送信される、請求項１３に記載の媒体。
【請求項１７】
該ソフトウェアは実行されるとき、
前記ソーシャル・ネットワーキング・サイト内の前記第２のユーザを友達とすることに応じて、前記第１のユーザと前記第２のユーザ識別子に対応する前記第２のユーザとを含むグループを生成する工程と、
前記第１のユーザ・モバイル・デバイスから、前記グループが生成されたことを示す第４のメッセージを受信する工程であって、前記第４のメッセージは前記第１のユーザ識別子を含む、前記工程と、を行うようにさらに構成されている請求項１４に記載の媒体。